(57)【要約】【課題】  部署ごとのサーバ装置に分散されて蓄積されている工程データを集中管理サーバ装置に蓄積して管理する際に、その集中管理サーバ装置への負担を軽減することが可能な工程管理システムを高価なシステムを用いることなく提供することである。【解決手段】  本発明の工程管理システムは、工程データを蓄積する複数台のサーバ装置と、該複数台のサーバ装置とネットワークを介して接続された集中管理サーバ装置とを有する工程管理システムにおいて、前記複数台のサーバ装置は、工程データを保存するデータベースと、前記集中管理サーバ装置に対し前記工程データをもれなく、かつ、その一部分ずつを転送するためのデータである転送データを前記工程データから生成する転送データ生成部とをそれぞれ具備し、前記集中管理サーバ装置は、前記各サーバ装置の転送データを収集する転送データ収集部と、該転送データ収集部により収集された転送データを登録するデータベースとを具備することを特徴とする工程管理システムである。【選択図】  図１
2005149112.tif 000002
【特許請求の範囲】
【請求項１】
工程データを蓄積する複数台のサーバ装置を有する工程管理システムにおいて、
前記複数台のサーバ装置とネットワークを介して接続された集中管理サーバ装置を更に有し、
前記複数台のサーバ装置は、工程データを保存するデータベースと、前記集中管理サーバ装置に対し転送するデータである転送データを前記工程データから生成する転送データ生成部とをそれぞれ具備し、
前記集中管理サーバ装置は、前記各サーバ装置の転送データを収集する転送データ収集部と、該転送データ収集部により収集された転送データを登録するデータベースとを具備することを特徴とする工程管理システム。
【請求項２】
工程データを蓄積する複数台のサーバ装置を有する工程管理システムにおいて、
前記複数台のサーバ装置とネットワークを介して接続された集中管理サーバ装置を更に有し、
前記複数台のサーバ装置は、工程データを保存するデータベースと、前記集中管理サーバ装置に対し転送するデータである転送データを前記工程データから生成する転送データ生成部と、該生成された転送データを前記集中管理サーバ装置へ転送するデータ転送部とをそれぞれ具備し、
前記集中管理サーバ装置は、前記各サーバ装置のデータ転送部から転送された転送データを登録するデータベースを具備することを特徴とする工程管理システム。
【請求項３】
前記転送データ生成部は、前記集中管理サーバ装置に対し前記工程データをもれなく、かつ、その一部分ずつを転送するように、前記工程データから前記転送データを生成することを特徴とする請求項１、または２記載の工程管理システム。
【請求項４】
前記転送データ生成部は、工程データから所定の条件により抽出した工程データに対して圧縮を行って転送データを生成することを特徴とする請求項３記載の工程管理システム。
【請求項５】
前記所定の条件とは日付であることを特徴とする請求項４記載の工程管理システム。
【請求項６】
前記転送データ収集部は、予め設定されているサーバ装置間でのデータ収集の順番に基づいて、データ収集を行うことを特徴とする請求項１記載の工程管理システム。
【請求項７】
前記集中管理サーバ装置は、転送データが正常に収集、送信、または、登録されたか判定し、かつ、その判定結果をオペレータの端末に通知する警告処理部を更に具備することを特徴とする請求項１、または２記載の工程管理システム。
【発明の詳細な説明】
【技術分野】
【０００１】
本発明は製造工程管理システムに関し、詳しくは、工程データを蓄積する複数台のサーバ装置と、それら複数台のサーバ装置とネットワークを介して接続された工程データを集中して管理する集中管理サーバ装置とを有する工程管理システムに関する。
【背景技術】
【０００２】
従来、生産設備や作業結果などの工程データの管理方法として、本出願人による工程データを収集・閲覧する方法がある（特許文献１）。
図６は、従来の工程管理システムを示すブロック図である。
図６に示すように、従来の工程管理システムは、複数のデータ入力端末３５０ａ，３５０ｂ，・・・及びデータ参照端末３３０がネットワーク３６０を介してサーバ装置（データサーバ装置）３２０に接続されている。そして、このサーバ装置３２０に、データ入力処理部３２２、データ出力処理部３２３を設けて、工程データの蓄積／閲覧を行っている。
【０００３】
まず、工程データの蓄積は、オペレータがデータ入力端末３５０ａ，３５０ｂ，・・・を操作することによって行われる。この際、オペレータは、ネットワーク３６０を介して、サーバ装置３２０のデータ処理装置内のデータ入力処理部３２２にアクセスして、データ入力画面をデータ入力端末３５０ａ，３５０ｂ，・・・上に呼び出し、その画面上から必要なデータの入力を行う。データ入力端末３５０ａ，３５０ｂ，・・・で画面から入力された入力データは、ネットワーク３６０を介して、サーバ装置３２０のデータ処理装置内のデータ入力処理部３２２に送られた後、データベース３２１に保存される。
【０００４】
また、工程データの閲覧は、オペレータがデータ参照端末３３０を操作することによって行われる。この際、オペレータは、ネットワーク３６０を介して、サーバ装置３２０のデータ処理装置内のデータ出力処理部３２３にアクセスして、データ出力画面をデータ参照端末３３０上に呼び出し、その画面上から参照対象の工程データに対応する条件を入力する。データ参照端末３３０で画面から入力された参照条件は、ネットワーク３６０を介して、サーバ装置３２０のデータ処理装置内のデータ出力処理部３２３に送られる。
【０００５】
データ出力処理部３２３では、データ参照端末３３０からの参照条件を解析して、データベース３２１からその参照条件に合った工程データを抜き出した後、この工程データをネットワーク３６０を介して、データ参照端末３３０に送信して画面上に表示させる。
このような構成のシステムにおいては、例えば、その製造工程の管理を行っている企業の各部門ごとに、図６のサーバ装置３２０によって工程データを蓄積しており、その関係上、工程データを蓄積しているサーバ装置３２０が複数の場所に分散してしまう。そのため、オペレータ（ユーザ）は、目的の工程データを閲覧するにあたり、複数のサーバ装置３２０内のデータを上記部門間を移動しながら閲覧しなければならず、工程データの閲覧に手間や時間がかかってしまう。
【０００６】
また、従来のシステムでは、サーバ装置３２０の物理的な制限（記憶領域の容量の限界など）を十分に考慮していない。このようなシステムでは、より高性能のハードウェアに替えることが、工程データの管理能力を改善する殆ど唯一の方法になってしまう。
【特許文献１】特開２００２−９１５３２号公報  「工程管理システム」
【発明の開示】
【発明が解決しようとする課題】
【０００７】
本発明の課題は、部署ごとのサーバ装置に分散されて蓄積されている工程データを手間や時間をかけることなく閲覧することが可能な工程管理システムを提供することである。
本発明の別の課題は、部署ごとのサーバ装置に分散されて蓄積されている工程データを手間や時間をかけることなく閲覧することが可能な工程管理システムであって、その工程管理システムへの負担が軽減でき、かつ、高価なシステムを用いずに実現することが可能な工程管理システムを提供することである。
【０００８】
オペレータ（ユーザ）は本発明のシステムを使用することにより閲覧時には集中管理サーバ装置のみを閲覧することによって、すばやく工程データを検索することが可能となる。
【課題を解決するための手段】
【０００９】
本発明の第１態様の工程管理システムは、工程データを蓄積する複数台のサーバ装置を有する工程管理システムにおいて、前記複数台のサーバ装置とネットワークを介して接続された集中管理サーバ装置を更に有し、前記複数台のサーバ装置は、工程データを保存するデータベースと、前記集中管理サーバ装置に対し転送するデータである転送データを前記工程データから生成する転送データ生成部とをそれぞれ具備し、前記集中管理サーバ装置は、前記各サーバ装置の転送データを収集する転送データ収集部と、該転送データ収集部により収集された転送データを登録するデータベースとを具備することを特徴とする工程管理システムである。
【００１０】
ここで、本発明では、新たに集中管理サーバ装置を設けて、部門ごとに分散している工程データの一元管理を行っているので、ユーザは、手間や時間をかけることなく各部門の工程データの閲覧を行うことができる。
また、前記転送データ生成部において、前記集中管理サーバ装置に対し前記工程データをもれなく、かつ、その一部分ずつを転送するように、前記工程データから前記転送データを生成するようにすれば、集中管理サーバ装置が一度に受信するデータ量を抑えることができ、集中管理サーバ装置の負担を高価なシステムを用いることなく軽減することができる。
【００１１】
また、前記転送データ収集部において、各サーバ装置からの転送データの収集を、予め設定されたサーバ間でのデータの収集の順番に基づいて行うようにすれば、集中管理サーバ装置の負荷を一層、軽減することができる。
本発明の第２態様の工程管理システムは、工程データを蓄積する複数台のサーバ装置を有する工程管理システムにおいて、前記複数台のサーバ装置とネットワークを介して接続された集中管理サーバ装置を更に有し、前記複数台のサーバ装置は、工程データを保存するデータベースと、前記集中管理サーバ装置に対し転送するデータである転送データを前記工程データから生成する転送データ生成部と、該生成された転送データを前記集中管理サーバ装置へ転送するデータ転送部とをそれぞれ具備し、前記集中管理サーバ装置は、前記各サーバ装置のデータ転送部から転送された転送データを登録するデータベースを具備することを特徴とする工程管理システムである。
【００１２】
ここで、本発明では、新たに集中管理サーバ装置を設けて、部門ごとに分散している工程データの一元管理を行っているので、ユーザは、手間や時間をかけることなく各部門の工程データの閲覧を行うことができる。
また、前記転送データ生成部において、前記集中管理サーバ装置に対し前記工程データをもれなく、かつ、その一部分ずつを転送するように、前記工程データから前記転送データを生成するようにすれば、集中管理サーバ装置が一度に受信するデータ量を抑えることができ、受信集中管理サーバ装置の負担を高価なシステムを用いることなく軽減することができる。
【００１３】
なお、上記第１および第２の態様において、集中管理サーバ装置側に、警告処理部を更に設け、転送データが正常に収集、送信、または、登録されたか否かに関する情報をオペレータの端末宛てに送信（通知）する構成とすれば、その情報がオペレータによって確認されることで、収集などの異常終了した処理がオペレータにより再度、手動にて実行されるので、サーバ装置側の記憶資源内に、いつまでも転送が未完了のデータが残ることがなく、サーバ装置側の記憶資源の負荷を軽減することが可能となる。
【発明の効果】
【００１４】
本発明の第１態様によれば、各サーバ装置にネットワークを介して接続された集中管理サーバ装置を新たに設け、その集中管理サーバ装置によって、部門ごとに分散している工程データを一元管理しているので、ユーザは、手間や時間をかけることなく各部門の工程データの閲覧を行うことができる。
【００１５】
そして、サーバ装置内の転送データ生成部は、そのサーバ装置内の工程データをもれなく、かつ、一部分ずつ、集中管理サーバ装置に送るためのデータである転送データを生成し、集中管理サーバ装置の転送データ収集部は、そのようにして生成された転送データを収集する構成であるので、工程データの一元管理を、各サーバ装置や集中管理サーバ装置への過度な負荷をかけることがない構成によって実現することができる。なお、集中管理サーバ装置の転送データ収集部による各サーバ装置からの転送データの収集を、予め設定されたサーバ装置間でのデータ収集の順番に基づいて行うようにすれば、集中管理サーバ装置への負荷を一層、軽減することができる。また、集中管理サーバ装置内の警告処理部によるオペレータの端末への電子メールなどによる情報の通知によって、収集などの異常終了した処理をオペレータが手動にて再度、実行するので、サーバ装置側の記憶資源内に、いつまでも転送が未完了のデータが残ることがなく、サーバ装置側の記憶資源の負荷を軽減することができる。
【００１６】
本発明の第２態様によれば、各サーバ装置にネットワークを介して接続された集中管理サーバ装置を新たに設け、その集中管理サーバ装置によって、部門ごとに分散している工程データを一元管理しているので、ユーザは、手間や時間をかけることなく各部門の工程データの閲覧を行うことができる。
【００１７】
そして、サーバ装置内の転送データ生成部は、そのサーバ装置内の工程データをもれなく、かつ、一部分ずつ、集中管理サーバ装置に送るためのデータである転送データを生成し、サーバ装置のデータ転送部は、そのようにして生成された転送データを集中管理サーバ装置に転送（送信）する構成であるので、工程データの一元管理を、各サーバ装置や集中管理サーバ装置への過度な負荷をかけることがない構成によって実現することができる。なお、集中管理サーバ装置内の警告処理部によるオペレータの端末への電子メールなどによる情報の通知によって、転送データの送信などの異常終了した処理をオペレータが手動にて再度、実行するので、サーバ装置側の記憶資源内に、いつまでも転送が未完了のデータが残ることがなく、サーバ装置側の記憶資源の負荷を軽減することができる。
【発明を実施するための最良の形態】
【００１８】
図１は、本実施形態の工程管理システムの構成を示すブロック図である。
図１において、工程管理システムは、複数台のサーバ装置１２０と、集中管理サーバ装置１１０と、参照端末１３０とがネットワーク１４０を介して接続されることによって構成されている。なお、基本的には、サーバ装置１２０は、製造業の部署（部門）ごとに設置された、部門別に工程データを管理する部門別工程データ管理装置であり、集中管理サーバ装置１１０は、各サーバ装置１２０が保持する（部門別）工程データを集中して管理する工程データ管理装置である。なお、図からは定かでないが、各サーバ装置１２０の下には、データ入力端末が１台以上接続されており、本システムのオペレータは、そのデータ入力端末を介して工程データを入力する。
【００１９】
上記構成の工程管理システムの動作について以下に説明する。
まず、企業の所定の部門のオペレータによって、不図示のデータ入力端末を介して、工程データの入力が行われる。入力された工程データは、図１のサーバ装置１２０内のデータベース１２１に保存される。
【００２０】
図２は、工程データが保存されるデータベース１２１のデータ構造を示す図である。図２に示すように、データベース１２１は複数の工程データ１２１１によって構成される。工程データ１２１１は、「製品個体Ｎｏ」「製品Ｎｏ」「日付」「設備Ｎｏ」「検査項目Ｎｏ」「検査データ」の各項目を備えている。
【００２１】
ここで、項目「製品個体Ｎｏ」は、製品の個体を特定する番号を示しており、同じ種別の製品（例えばカメラ）中から製品個体Ｎｏを指定することにより、その個体を特定できる。項目「製品Ｎｏ」は、製品の種別を示しており、例えば、「１」はデジタルカメラ、「２」はフィルムカメラ、「３」は録音機、・・・というように設定する。項目「日付」は、検査を行った日時を示している。
【００２２】
項目「設備Ｎｏ」は、検査を行った設備を示している。なお、１つの製品種別に対して、一般に複数種の設備を使用して検査を行っている。そして、同じ種類の設備でも複数台ある場合がある。「設備Ｎｏ」のデータ例を以下に示す。
「１００１」・・・設備種類１０番の１号機
「１１０３」・・・設備種類１１番の３号機
項目「検査項目Ｎｏ」は、「設備Ｎｏ」の項目で示した設備において行われる検査項目を示している。通常、１つの設備において、複数の検査が行われる。
【００２３】
項目「検査データ」は、「検査項目Ｎｏ」の項目で示した検査項目の検査結果の値を示している。
サーバ装置１２０内の転送データ生成部１２２は、データベースに保存されている工程データ１２１１から所定の条件を満たすものを抽出すると共に、その抽出された工程データ１２１１に対して圧縮を行うことにより、ファイル（データ）サイズを小さくしている。
【００２４】
すなわち、本システムが主たる対象として考えている製造工程においては、製造データは、例えば１日当たり数十Ｍｂｙｔｅの大量のデータがサーバ装置１２０の１台分につき蓄積されるため、それらサーバ装置１２０からデータを吸い上げる集中管理サーバ装置１１０の負担を軽減するように、転送データ生成部１２２において、集中管理サーバ装置１１０へのデータの転送に先立ってファイル（データ）の圧縮が行われている。
【００２５】
図３は、転送データ生成部１２２によって、データベース１２１に保存されている工程データ１２１１から所定の条件により抽出された工程データ１２１２を示す図である。なお、このようにして抽出された工程データ１２１２に対して、圧縮を行ったものが、集中管理サーバ装置１１０に対して転送されるデータとなる。この圧縮後のデータのことを転送データと呼ぶことにする。
【００２６】
図３において、データベース１２１に保存されている工程データ１２１１からの抽出を行う際に、所定の条件として、日付を用いている。すなわち、図２の工程データ１２１１中の項目「日付」を参照して、その日付が所定値（ここでは、「２００３／８／１４」）であるものを抽出することにより、図３のデータ一覧が得られる。
【００２７】
なお、このようにして得られた転送データは、サーバ装置１２０内の不図示の記憶領域に保存される。
上記した工程データの蓄積は各部署（各部門）で行われる。すなわち、上記した保存処理はその部署のサーバ装置１２０ごとに独立して行われる。その結果、複数台のサーバ装置１２０内の不図示の記憶領域には複数の転送データが保存される。
【００２８】
一方、集中管理サーバ装置１１０内の転送データ収集部１１３は各サーバ装置１２０の上記記憶領域に接続し、保存されている転送データを集中管理サーバ装置１１０内の不図示の記憶領域に保存する。この際、転送データ収集部１１３は、複数台のサーバ装置１２０からデータを収集する順番、収集する転送データなどの情報に基づいて、複数台のサーバ装置１２０から転送データの収集を行う。例えば、転送データ収集部１１３が転送データの収集を日付ごとに行う場合、上記「収集する転送データ」の情報は、その収集日の日付を示し、転送データ収集部１１３は、対象となるサーバ装置１２０の転送データが保存されている記憶領域から、その収集日の日付を示すファイル名を持つファイルを収集する。上記ファイル名の一例を以下に示す。
例：２００３１０１６．ｃｓｖ
図４は、集中管理サーバ装置１１０の転送データ収集部１１３が、予め設定されているサーバ装置１２０間でのデータ収集の順番に基づいて、データ収集を行う様子を説明する図である。
【００２９】
図４では、集中管理サーバ装置１１０の下に、サーバ装置１２０ａ、サーバ装置１２０ｂ、サーバ装置１２０ｃがネットワークを介して接続されている。図の場合、転送データ収集部は、サーバ装置１２０ａ、サーバ装置１２０ｃ、サーバ装置１２０ｂ、の順に転送データの収集を行う。
【００３０】
このように、集中管理サーバ装置１１０に接続されているサーバ装置１２０間に転送データを収集する順番を設定することによって、製造業における（製造）工程データのように、大量のデータを取り扱う場合であっても、複数のサーバ装置１２０からのデータが集中管理サーバ装置１１０に並列に転送され、集中管理サーバ装置１１０側でも、転送されてきたデータを一斉に登録するようなことがなくなるので、集中管理サーバ装置１１０側の負担を軽減することが可能となる。
【００３１】
また、転送データ収集部１１３は、この集中管理サーバ装置１１０内の不図示の記憶領域への転送データの保存に際し、その記憶領域に正常に保存できたか否かの情報（すなわち、正常に収集できたか否かの情報）を警告処理部１１５に渡す。
転送データ収集部１１３により、各サーバ装置１２０からの転送データが集中管理サーバ装置１１０内の不図示の記憶領域に保存された後、転送データ登録部１１２によって、集中管理サーバ装置１１０内の記憶領域に保存されている転送データが集中管理サーバ装置１１０内のデータベース１１１に登録される。この際、そのデータベース１１１に正常に登録できたか否かの情報が警告処理部１１５に渡される。
【００３２】
正常に収集・保存、または、正常に登録されたか否かの情報を渡された警告処理部１１５では、その情報に基づいて、転送データの収集・保存、または、転送データのデータベースへの登録が正常に完了したか否かの結果を電子メールなどの方法で、オペレータの端末（例えば、各サーバ装置１２０の下に接続されている不図示のデータ入力端末）宛てに警告として発する。
【００３３】
ネットワークを介して大量のデータを転送するシステムにおいては、ネットワークの断線、不通などは致命的である。このような断線、不通の事態が生じた場合には、未転送データが増え、その後の転送時間の増加、各サーバ装置のハードディスク圧迫などの要因となる。本実施形態においては、上記したように、オペレータの端末宛てに、データの転送、登録の成否をメール送信している。これにより、転送、登録が失敗した場合でも、早期に問題を把握し、オペレータが手動で転送、登録を行うことで、上記問題（ハードディスク（例えばサーバ装置１２０のデータベース１２１）の圧迫など）を解決できる。
【００３４】
なお、上記した転送データ生成部１２２や転送データ収集部１１３は、通常、定時になると起動される構成であるが、データの収集や登録が正常に行われなかった旨の電子メールなどが、オペレータの端末において受信された場合には、転送データ生成部１２２や転送データ収集部１１３がオペレータの指示に基づいて（すなわち、手動で）起動され、例えば、収集時や登録時に生じたエラーによって、収集や登録されなかったデータの収集や登録が行われる。
【００３５】
なお、本システムのユーザは、参照端末１３０内のブラウザ１３１を用いることで、集中管理サーバ装置１１０内のデータベース１１１へアクセスして工程データを閲覧することができる。
このように、本実施形態の工程管理システムによれば、製造部門、技術部門、設計部門にもともとは分散されていた製品の検査データ、調整データを集中管理し共有することで、様々な対策や管理、次期製品へのフィードバックなどを効率よく行うことができるようになる。本システムのユーザは、上記参照端末１３０を介して、必要なデータを閲覧することにより、例えば以下のような用途目的を達成することができる。
・製品個体Ｎｏを指定することにより、その製品個体に付随するデータが閲覧できる。これにより、その製品個体の検査履歴が把握でき、不具合の解析などに活用できる。
・ある検査項目の最大値、最小値、平均、標準偏差などを工程データから閲覧することで、データの推移を確認でき、その推移により工程の能力を把握し、様々な対策を練ることができる。
・検査項目の良／不良の情報を活用することにより、不良率、不良内容一覧などが把握できるため、日々の管理、対策などがやりやすくなる。
【００３６】
なお、本実施形態においては、サーバ装置１２０内のデータベース１２１に登録されている工程データ１２１１から所定の条件（日付など）によって抽出したものを、集中管理サーバ装置１１０の転送データ収集部１１３が収集する構成であったが、サーバ装置１２０内の工程データ１２１１を、転送データ収集部１１３がもれなく、かつ、一部分ずつ収集するような任意の構成を採用可能である。このような構成はいずれも、集中管理サーバ装置１１０側の工程データ（転送データ）のデータベース１１１への登録処理（登録処理に関わる処理であって、その前段に行われる収集・保存の処理なども含む）に対する負荷を軽減する効果を有している。
【００３７】
このように、本実施形態によれば、各サーバ装置１２０にネットワーク１４０を介して接続された集中管理サーバ装置１１０を新たに設け、その集中管理サーバ装置１１０によって、部門ごとに分散している工程データを一元管理しているので、ユーザは、手間や時間をかけることなく各部門の工程データの閲覧を行うことができる。
【００３８】
そして、サーバ装置１２０内の転送データ生成部１２２は、そのサーバ装置１２０内の工程データをもれなく、かつ、一部分ずつ、集中管理サーバ装置１１０に送るためのデータである転送データを生成し、集中管理サーバ装置１１０の転送データ収集部１１３は、そのようにして生成された転送データを収集する構成であるので、工程データの一元管理を、各サーバ装置１２０や集中管理サーバ装置１１０への過度な負荷をかけることがない構成によって実現することができる。なお、集中管理サーバ装置１１０の転送データ収集部１１３による各サーバ装置１２０からの転送データの収集を、予め設定されたサーバ装置１２０間でのデータ収集の順番に基づいて行うようにすれば、集中管理サーバ装置１１０への負荷を一層、軽減することができる。また、集中管理サーバ装置１１０内の警告処理部１１５によるオペレータの端末への電子メールなどによる情報の通知によって、収集などの異常終了した処理をオペレータが手動にて再度、実行するので、サーバ装置１２０側の記憶資源内に、いつまでも転送が未完了のデータが残ることがなく、サーバ装置１２０側の記憶資源の負荷を軽減することができる。
【００３９】
図５は、図１の工程管理システムの変形例の構成を示すブロック図である。
なお、図５では、図１との相違点を主として説明を行うものとする。
図５において、工程管理システムは、複数台のサーバ装置２２０と、集中管理サーバ装置２１０と、参照端末２３０とがネットワーク２４０を介して接続されることによって構成されている。なお、基本的には、サーバ装置２２０は、製造業の部署（部門）ごとに設けられている。また、図からは定かでないが、各サーバ装置２２０の下には、データ入力端末が１台以上接続されており、本システムのオペレータは、そのデータ入力端末を介して工程データを入力する。
【００４０】
上記構成の工程管理システムの動作について以下に説明する。
まず、企業の所定の部門のオペレータによって、不図示のデータ入力端末を介して、工程データの入力が行われる。入力された工程データは、図５のサーバ装置２２０内のデータベース２２１に保存される。なお、工程データのデータ構造は、図２に示したものと同様である。
【００４１】
サーバ装置２２０内の転送データ生成部２２２は、データベース２２１に保存されている工程データから所定の条件を満たすものを抽出すると共に、その抽出された工程データに対して圧縮を行うことにより、ファイル（データ）サイズを小さくしている。
すなわち、本システムが主たる対象として考えている製造工程においては、製造データは、例えば１日当たり数十Ｍｂｙｔｅの大量のデータがサーバ装置２２０の１台分につき蓄積されるため、それらサーバ装置２２０からデータを吸い上げる集中管理サーバ装置２１０の負担を軽減するように、転送データ生成部２２２において、集中管理サーバ装置２１０へのデータの転送に先立ってファイル（データ）の圧縮が行われている。
【００４２】
なお、このようにして得られた転送データは、サーバ装置２２０内の不図示の記憶領域に保存される。
上記した工程データの蓄積は各部署（各部門）で行われる。すなわち、上記した保存処理はその部署のサーバ装置２２０ごとに独立して行われる。その結果、複数台のサーバ装置２２０内の不図示の記憶領域には複数の転送データが保存される。
【００４３】
続いて、サーバ装置２２０のデータ転送部２２３は、集中管理サーバ装置２１０内の不図示の記憶領域に対して転送データを送信すると共に、転送データをその集中管理サーバ装置２１０内の記憶領域に保存する。なお、この際、その記憶領域に正常に保存できたか否かの情報（すなわち、正常に送信できたか否かの情報）を警告処理部２１５に渡す。
【００４４】
上記データ転送部２２３による転送データの送信・保存の処理は、集中管理サーバ装置２１０にネットワーク２４０を介して接続されている各サーバ装置２２０においてそれぞれ独立に行われる。よって、本変形例においては、各サーバ装置２２０には、上記したような集中管理サーバに対する転送順序の情報は設定されていない。
【００４５】
一方、集中管理サーバ装置２１０内の転送データ登録部２１２は、集中管理サーバ装置２１０内の記憶領域に保存されている転送データを集中管理サーバ装置２１０内のデータベース２１１に登録すると共に、正常に登録できたか否かの情報を警告処理部２１５に渡す。
【００４６】
正常に送信・保存、または、正常に登録されたか否かの情報を渡された警告処理部２１５では、その情報に基づいて、転送データの送信・保存、または、転送データのデータベース２１１への登録が正常に完了したか否かの結果を電子メールなどの方法で、オペレータの端末（例えば、各サーバ装置の下に接続されているデータ入力端末）宛てに警告として発する。
【００４７】
ネットワークを介して大量のデータを転送するシステムにおいては、ネットワークの断線、不通などは致命的である。このような断線、不通の事態が生じた場合には、未転送データが増え、その後の転送時間の増加、各サーバ装置のハードディスク圧迫などの要因となる。本実施形態においては、上記したように、オペレータの端末宛てに、データの転送、登録の成否をメール送信している。これにより、転送、登録が失敗した場合でも、早期に問題を把握し、オペレータが手動で転送、登録を行うことで、上記問題（ハードディスク（例えばサーバ装置２２０のデータベース２２１）の圧迫など）を解決できる。
【００４８】
なお、上記した転送データ生成部２２２やデータ転送部２２３は、通常、定時になると起動される構成であるが、データの送信や登録が正常に行われなかった旨の電子メールなどが、オペレータの端末において受信された場合には、転送データ生成部やデータ転送部がオペレータの指示に基づいて（すなわち、手動で）起動され、例えば、送信時や登録時に生じたエラーによって、送信や登録されなかったデータの送信や登録が行われる。
【００４９】
なお、本システムのユーザは、参照端末２３０内のブラウザ２３１を用いることで、集中管理サーバ装置２１０内のデータベース２１１へアクセスして工程データを閲覧することができる。
なお、本変形例においては、サーバ装置２２０内のデータベース２２１に登録されている工程データ１２１１から所定の条件（日付など）によって抽出したものを、サーバ装置２２０のデータ転送部２２３が集中管理サーバ装置２１０へ転送（送信）する構成であったが、サーバ装置２２０内の工程データ１２１１を、データ転送部２２３がもれなく、かつ、一部分ずつ転送（送信）するような任意の構成を採用可能である。このような構成はいずれも、集中管理サーバ装置２１０側の工程データ（転送データ）のデータベース２１１への登録処理（登録処理に関わる処理であって、その前段に行われる記憶領域への保存の処理なども含む）に対する負荷を軽減する効果を有している。
【００５０】
このように、本実施形態によれば、各サーバ装置２２０にネットワーク２４０を介して接続された集中管理サーバ装置２１０を新たに設け、その集中管理サーバ装置２１０によって、部門ごとに分散している工程データを一元管理しているので、ユーザは、手間や時間をかけることなく各部門の工程データの閲覧を行うことができる。
【００５１】
そして、サーバ装置２２０内の転送データ生成部２２２は、そのサーバ装置２２０内の工程データをもれなく、かつ、一部分ずつ、集中管理サーバ装置２１０に送るためのデータである転送データを生成し、サーバ装置２２０のデータ転送部２２３は、そのようにして生成された転送データを集中管理サーバ装置２１０に転送（送信）する構成であるので、工程データの一元管理を、各サーバ装置２２０や集中管理サーバ装置２１０への過度な負荷をかけることがない構成によって実現することができる。なお、集中管理サーバ装置２１０内の警告処理部２１５によるオペレータの端末への電子メールなどによる情報の通知によって、転送データの送信などの異常終了した処理をオペレータが手動にて再度、実行するので、サーバ装置２２０側の記憶資源内に、いつまでも転送が未完了のデータが残ることがなく、サーバ装置２２０側の記憶資源の負荷を軽減することができる。
【産業上の利用可能性】
【００５２】
本発明は、製造工程をはじめとする各種工程に関わる工程データを管理する工程管理システムに適用できる。
【図面の簡単な説明】
【００５３】
【図１】本発明の一実施形態の工程管理システムの構成を示すブロック図である。
【図２】工程データが保存されるデータベースのデータ構造を示す図である。
【図３】転送データ生成部によって、データベースに保存されている工程データから所定の条件により抽出された工程データを示す図である。
【図４】集中管理サーバ装置の転送データ収集部が、予め設定されているサーバ装置間でのデータ収集の順番に基づいて、データ収集を行う様子を説明する図である。
【図５】図１の工程管理システムの変形例の構成を示すブロック図である。
【図６】従来の工程管理システムを示すブロック図である。
【符号の説明】
【００５４】
１１０  集中管理サーバ装置
１１１  データベース
１１２  転送データ登録部
１１３  転送データ収集部
１１５  警告処理部
１２０  サーバ装置
１２１  データベース
１２２  転送データ生成部
１３０  参照端末
１３１  ブラウザ
１４０  ネットワーク
２１０  集中管理サーバ装置
２１１  データベース
２１２  転送データ登録部
２１５  警告処理部
２２０  サーバ装置
２２１  データベース
２２２  転送データ生成部
２２３  データ転送部
２３０  参照端末
２３１  ブラウザ
２４０  ネットワーク
【図１】
2005149112.tif 000003
【図２】
2005149112.tif 000004
【図３】
2005149112.tif 000005
【図４】
2005149112.tif 000006
【図５】
2005149112.tif 000007
【図６】
2005149112.tif 000008